(57)【要約】【課題】Ｊ字状に屈曲した柄を持つ傘をその軸心と取付具の軸心とを一致させ、簡単に取付，取外可能に支持できるようにし、支持状態を安定させ、しかも、使い勝手を向上させる。【解決手段】上端３が開口した円筒状の本体１の上端寄り側壁に先端が該本体内に突出する摘子ねじ５を螺合し、該本体の側壁の前記摘子ねじ螺合位置より下部に縦長孔８を開設し、Ｊ字状に屈曲した傘の柄９の先端部１０を該本体の上端３から挿入し該柄をその屈曲に従い本体内で回転させて該先端部１０を前記縦長孔から突出させた状態にて前記摘子ねじ５を締め付け該柄を該本体に固定する。【選択図】図５
2005096648.tif 000002
【特許請求の範囲】
【請求項１】
上端が開口した円筒状の本体の上端寄り側壁に先端が該本体内に突出する摘子ねじを螺合し、該本体の側壁の前記摘子ねじ螺合位置より下部に縦長孔を開設し、Ｊ字状に屈曲した傘の柄の先端部を該本体の上端から挿入し該柄をその屈曲に従い本体内で回転させて該先端部を前記縦長孔から突出させた状態にて前記摘子ねじを締め付け該柄を該本体に固定し得るようにしたことを特徴とする傘取付具。
【発明の詳細な説明】
【技術分野】
【０００１】
本発明は、傘を車椅子や自転車、或いは杖等に取り付けられるようにする傘取付具に関するものである。
【背景技術】
【０００２】
傘をさして自転車に乗ることは片手ハンドルになるので危険であり、また、乳母車を押したり、杖をついて歩行する者が傘をさす場合も片手が傘を支持するのに専有されるので危険を伴うものであった。
【０００３】
そこで、下記特許文献に示されたような傘取付具を自転車や乳母車等に設けることが従来から知られている。
【特許文献１】特開平１１−０３４９５６号公報
【特許文献２】実公平３−３００５７号公報
【特許文献３】実登３０４５２７９号公報
【発明の開示】
【発明が解決しようとする課題】
【０００４】
しかし従来の傘取付具は、例えば特許文献１，２に示されたように傘の柄を一対の挟着片により挟んで支持する構成であったので、傘の軸心と取付具の軸心とが一致せず、支持状態が不安定になるという問題がある。
また、特許文献３に記載された傘取付具は、中空状で２つ割された傘支持体からなるもので、上記軸心を一致させることは可能であるが、傘の取付，取外に手間が掛かるものであった。
本発明はこのような課題を解決しようとするものである。
【課題を解決するための手段】
【０００５】
そのために本発明の傘取付具は、上端が開口した円筒状の本体の上端寄り側壁に先端が該本体内に突出する摘子ねじを螺合し、該本体の側壁の前記摘子ねじ螺合位置より下部に縦長孔を開設し、Ｊ字状に屈曲した傘の柄の先端部を該本体の上端から挿入し該柄をその屈曲に従い本体内で回転させて該先端部を前記縦長孔から突出させた状態にて前記摘子ねじを締め付け該柄を該本体に固定し得るようにしたことを特徴とする。
【発明の効果】
【０００６】
Ｊ字状に屈曲した柄を持つ傘をその軸心と取付具の軸心とを一致させ、簡単に取付，取外可能に取り付け得るようになるので、支持状態が安定し、しかも、使い勝手が向上する。
【実施例１】
【０００７】
図１にこの傘取付具を斜視図にて示し、図２にその縦断面図を示す。１は支持杆２の上部に延設された内径２４ｍｍ程の円筒状の本体で、該本体の上端３は開口しており、該本体の上端寄り側壁にナット４を溶接により固着している。５は合成樹脂製の摘子部６とねじ部７とからなる摘子ねじで、該摘子ねじをナット４に螺合し、図２に示されるように該ねじ部７の先端を該側壁を貫通させて該本体１内に突出させる。
【０００８】
また、本体１の側壁の前記摘子ねじ螺合位置より下部に縦長孔８を開設している。図３に示したように、９は通常のこうもり傘の柄の形態として広く知られているＪ字状に屈曲した柄を示す。しかして、このような屈曲状の柄９を持つ傘をこの傘取付具に取り付けるに際しては、傘を閉じた状態にて図示したように該柄９の先端部１０を本体１の上端３から挿入し、該柄をそのＪ字状の屈曲に従い矢印で示したように本体１内で回転させ、図４，図５に示したように該柄の先端部１０を縦長孔８から突出させる。そして前記摘子ねじ５を締め付け、ねじ部７の先端を柄９の表面に圧着させることにより本体１に柄９を固定する。
【０００９】
また、摘子ねじ５を緩め、柄９をそのＪ字状の屈曲に従い反対向きに回転することにより柄９を本体１から簡単に外すことができる。
【００１０】
なお、上記図３に示したように該柄９の先端部１０を本体１の上端３から挿入した状態にて摘子ねじ５を締め付けることにより、非使用時に該傘を抜脱不能に引っ掛けておくこともできる。
【００１１】
図６はこの傘取付具を杖に装着することにより、傘と杖とを一方の手で同時に持てるようにし、雨天時等の外出，歩行を容易にしようとするもので、中空パイプからなる棒状体１１の下端部に四つ又状フレーム１２が接地状態を安定化するために設けられ、該棒状体１１の上端部寄りに一側に突出する握持部１３および摘子ねじ１４が設けられ、該棒状体１１の上端部に支持杆２を挿入し、該摘子ねじ１４を締め付けることにより該棒状体１１と支持杆２とが軸心を一致させて取り付けられる。なお、１５は棒状体１１の長さを使用者の背丈に合わせて調節できるようにするために設けられた複数のピン孔とピンとからなる長さ調節機構である。この使用例では棒状体１１と支持杆２と傘の軸心とが一致するので、安定性が増し、使い勝手を向上させる。
【００１２】
また、図７はクランプ金具１６を使用することによって本発明の傘取付具を杖本体１７に取り付けられるようにしたもので、クランプ金具１６はボルト１８を締めることにより杖本体１７を一対の挟着片により挟着するクランプ部１９と支持杆２を貫挿し得る筒部２０とからなり、該筒部２０に設けられた摘子ねじ２１を締め付けることにより支持杆２を任意の高さに支持し得るよう構成される。
【００１３】
なおこのクランプ金具１６はこのような杖への取り付けに限らず、この傘取付具を乳母車，車椅子，荷車等に取り付けるのにも使用することができる。いずれにしてもこの傘取付具では支持杆２と傘の軸心とが一致することにより安定した支持状態が得られ、しかも摘子ねじ５を操作し傘の柄を回転させるだけで簡単に取付，取外ができる利便性がある。
【産業上の利用可能性】
【００１４】
本発明の傘取付具は実施例に示した杖の他、自転車，乳母車，車椅子，荷車等における傘を支持するのに利用できる。
【図面の簡単な説明】
【００１５】
【図１】本発明の実施例である傘取付具の斜視図。
【図２】本発明の実施例である傘取付具の縦断面図。
【図３】本発明の実施例である傘取付具の傘取付手順を示す縦断面図。
【図４】本発明の実施例である傘取付具の傘取付状態を示す縦断面図。
【図５】本発明の実施例である傘取付具の傘取付状態を示す斜視図。
【図６】本発明の傘取付具の使用状態を示した斜視図。
【図７】本発明の傘取付具の使用状態を示した斜視図。
【符号の説明】
【００１６】
１      本体
２      支持杆
３      本体の上端
４      ナット
５      摘子ねじ
６      摘子部
７      ねじ部
８      縦長孔
９      傘の柄
１０    柄の先端部
【図１】
2005096648.tif 000003
【図２】
2005096648.tif 000004
【図３】
2005096648.tif 000005
【図４】
2005096648.tif 000006
【図５】
2005096648.tif 000007
【図６】
2005096648.tif 000008
【図７】
2005096648.tif 000009